(57)【要約】【課題】本体部の上面に受光部又は発光部が設けられた光電変換素子を搭載して、部品数の削減による低価格化及び製造の容易化等を実現することができる光通信モジュールを提供する。【解決手段】光通信モジュール１は、折り曲げ可能な導電板３に、その一部分を埋め込んで収容体２を樹脂成型し、収容体２から所定距離を隔てて、導電板３の他の部分を埋め込んで蓋体４を樹脂成型すると共に、収容体２内の導電板３に光電変換素子５を実装し、蓋体４にレンズ部４２を設け、収容体２及び蓋体４の間の導電板３を折り曲げて、光電変換素子５の発光部又は受光部がレンズ部４２に対向するように収容体２及び蓋体４を位置決めして固定する。蓋体４を透光性の合成樹脂で成型し、レンズ部４２を一体成型する。蓋体４に筒部４３を一体成型し、筒部４３に光通信線を嵌合して接続する。【選択図】図１
2013098431.tif 000002
【特許請求の範囲】
【請求項１】
光信号から電気信号へ又は電気信号から光信号への変換を行う変換素子を備える光通信モジュールにおいて、
前記変換素子が実装される折り曲げ可能な導電板と、
前記導電板の一部分を埋め込んで成型された第１の樹脂成型体と、
該第１の樹脂成型体から所定距離を隔てて、前記導電板の他の部分を埋め込んで成型された第２の樹脂成型体と、
該第２の樹脂成型体に設けられたレンズ部と
を備え、
前記変換素子は、前記第１の樹脂成型体に埋め込まれた前記導電板の一部分に実装され、
前記第１の樹脂成型体及び前記第２の樹脂成型体は、前記変換素子が前記レンズ部に対向するように、前記導電板を折り曲げて固定されていること
を特徴とする光通信モジュール。
【請求項２】
前記第２の樹脂成型体は、透光性の合成樹脂で成型されており、
前記レンズ部は、前記第２の樹脂成型体と一体成型されていること
を特徴とする請求項１に記載の光通信モジュール。
【請求項３】
前記第１の樹脂成型体は、底部及び該底部を囲む周壁を有し、
前記導電板の一部分は、表面の一部又は全部が前記底部に露出するように、前記第１の樹脂成型体に埋め込まれ、
前記第２の樹脂成型体は、前記周壁の端部の全周に亘って固定されていること
を特徴とする請求項１又は請求項２に記載の光通信モジュール。
【請求項４】
前記第１の樹脂成型体は、透光性の合成樹脂で成型されており、
前記変換素子は、前記第１の樹脂成型体に埋め込まれていること
を特徴とする請求項１又は請求項２に記載の光通信モジュール。
【請求項５】
前記第２の樹脂成型体に一体成型され、光通信線が嵌合される筒部を備え、
前記変換素子は、前記レンズ部を通して、前記筒部に嵌合された光通信線との間で光信号の授受を行うようにしてあること
を特徴とする請求項１乃至請求項４のいずれか１つに記載の光通信モジュール。
【発明の詳細な説明】
【技術分野】
【０００１】
本発明は、光通信を行うためのレーザダイオード及び／又はフォトダイオード等の変換素子をパッケージ化した光通信モジュールに関する。
【背景技術】
【０００２】
従来、光ファイバなどを利用した光通信が広く普及している。光通信は、電気信号をレーザダイオードなどの変換素子にて光信号に変換し、光ファイバを介して光信号を送受信し、受信した光信号をフォトダイオードなどの変換素子が電気信号に変換することによって行われる。このため、レーザダイオード及び／又はフォトダイオード等の変換素子を、場合によっては変換素子を動作させるための周辺回路素子と共に、１つのパッケージとして構成した光通信モジュールが広く用いられている。この光通信モジュールは、ＯＳＡ（Optical Sub-Assembly）と呼ばれている。近年では、光通信装置及び光通信モジュールに関する種々の発明がなされている。
【０００３】
例えば、特許文献１においては、光信号を送信又は受信する光電素子と、これを固定するためのステムと、光電素子をカバーするためのキャップと、光電素子に電気信号を印加又は光電素子からの電気信号を伝送する複数本のリードとを備え、ステム及びキャップにて構成されるパッケージ内に位置する所定のリードの一端に平面部を設け、この平面部に、一端が光電素子に接続され他端がリードに接続される電気回路部品を設けた構成とすることにより、高周波特性が優れ、小型化できる光−電気変換モジュールが提案されている。
【先行技術文献】
【特許文献】
【０００４】
【特許文献１】特開２００５−１６７１８９号公報
【発明の概要】
【発明が解決しようとする課題】
【０００５】
本願発明者は、以下の構成の光通信モジュールを発明し、既に出願している（この光通信モジュールを、従来の光通信モジュールという）。図７は、従来の光通信モジュールの構成を示す模式的断面図である。図において１０１は、従来の光通信モジュールであり、光電変換素子１０５及びこれが接続される導電板１０３が透光性の収容体１０２に収容された構成をなしている。収容体１０２は、透光性の合成樹脂（透明樹脂）にて樹脂成型されたものであり、平面視が略正方形をなす底部２１、この底部２１の上面に設けられた周壁２２、底部２１の下面に突設された筒部１２３、及び底部２１の下面の略中央に設けられたレンズ部１２４が、一体成形されている。収容体１０２には、底部２１及び周壁２２により、光電変換素子１０５を収容する凹所２５が構成される。
【０００６】
光通信モジュール１０１の収容体１０２には、底部２１の上面（凹所２５の底面）に、複数の導電板１０３がその上面を凹所２５内に露出させて埋設されており、一の導電板１０３上に光電変換素子１０５が実装されている。導電板１０３には、底部２１の下面に設けられたレンズ部１２４に対応する位置に開口１３１が形成されており、光電変換素子１０５は導電板１０３の開口１３１上に配される。
【０００７】
光電変換素子１０５は、平面視が略正方形をなす直方体状の本体部１５１、この本体部１５１の下面の略中央に設けられた受光部又は発光部（図示は省略する）、本体部１５１の下面に受光部又は発光部の周囲に設けられた第１端子１５２、及び、本体部１５１の上面に設けられた第２端子１５３を有している。第１端子１５２及び第２端子１５３は、光電変換素子１０５と導電板１０３との間で電気信号の授受を行うためのものであり、例えばフォトダイオード又はレーザダイオードのアノード端子及びカソード端子などである。光電変換素子１０５は、第１端子１５２が半田付けにより導電板１０３に接続され、第２端子１５３がワイヤ３５を介して接続（ワイヤボンディング）される。なお収容体１０２の周壁２２の上端部には、略正方形の板状をなす蓋体１２６が固定され、凹所２５内が封止される。
【０００８】
このような構成の従来の光通信モジュール１０１は、部品数の削減による低価格化及び製造の容易化等を実現することができる。ただし、この従来の光通信モジュール１０１は、光電変換素子１０５として、本体部１５１の下面（導電板１０３との接続を行う端子が設けられた面）に受光部又は発光部を設けた構成のものを用いる必要がある。しかし、光電変換素子には上面に受光部又は発光部を設けた構成のものもあり、従来の光通信モジュール１０１は、このような光電変換素子を用いることはできなかった。
【０００９】
本発明は、斯かる事情に鑑みてなされたものであって、その目的とするところは、本体部の上面（導電板との接続端子が設けられた面の反対面）に受光部又は発光部が設けられた光電変換素子を搭載して、部品数の削減による低価格化及び製造の容易化等を実現することができる光通信モジュールを提供することにある。
【課題を解決するための手段】
【００１０】
本発明に係る光通信モジュールは、光信号から電気信号へ又は電気信号から光信号への変換を行う変換素子を備える光通信モジュールにおいて、前記変換素子が実装される折り曲げ可能な導電板と、前記導電板の一部分を埋め込んで成型された第１の樹脂成型体と、該第１の樹脂成型体から所定距離を隔てて、前記導電板の他の部分を埋め込んで成型された第２の樹脂成型体と、該第２の樹脂成型体に設けられたレンズ部とを備え、前記変換素子は、前記第１の樹脂成型体に埋め込まれた前記導電板の一部分に実装され、前記第１の樹脂成型体及び前記第２の樹脂成型体は、前記変換素子が前記レンズ部に対向するように、前記導電板を折り曲げて固定されていることを特徴とする。
【００１１】
また、本発明に係る光通信モジュールは、前記第２の樹脂成型体が、透光性の合成樹脂で成型されており、前記レンズ部は、前記第２の樹脂成型体と一体成型されていることを特徴とする。
【００１２】
また、本発明に係る光通信モジュールは、前記第１の樹脂成型体が、底部及び該底部を囲む周壁を有し、前記導電板の一部分は、表面の一部又は全部が前記底部に露出するように、前記第１の樹脂成型体に埋め込まれ、前記第２の樹脂成型体は、前記周壁の端部の全周に亘って固定されていることを特徴とする。
【００１３】
また、本発明に係る光通信モジュールは、前記第１の樹脂成型体が、透光性の合成樹脂で成型されており、前記変換素子は、前記第１の樹脂成型体に埋め込まれていることを特徴とする。
【００１４】
また、本発明に係る光通信モジュールは、前記第２の樹脂成型体に一体成型され、光通信線が嵌合される筒部を備え、前記変換素子は、前記レンズ部を通して、前記筒部に嵌合された光通信線との間で光信号の授受を行うようにしてあることを特徴とする。
【００１５】
本発明においては、折り曲げ可能な導電板に、その一部分を埋め込んで第１の樹脂成型体を設けると共に、所定距離を隔てて、導電板の他の部分を埋め込んで第２の樹脂成型体を設ける。電気信号及び光信号の変換を行う変換素子は、第１の樹脂成型体に埋め込まれた導電板の一部分に実装する。また第２の樹脂成型体には、レンズ部を設ける。
これにより第１の樹脂成型体及び第２の樹脂成型体は、導電板を介して接続された状態となるため、導電板を折り曲げて第１の樹脂成型体及び第２の樹脂成型体を固定する。この際に、第１の樹脂成型体に埋め込まれた導電体に実装された変換素子が、第２の樹脂成型体に設けられたレンズ部に対向するように、第１の樹脂成型体及び第２の樹脂成型体の位置決めを行う。
このように変換素子が設けられる部分とレンズ部が設けられる部分とを別の樹脂成型体とすることによって、受光部又は発光部が下面に設けられた変換素子のみでなく、受光部又は発光部が上面に設けられた変換素子であっても、光通信モジュールに搭載することができる。また２つの樹脂成型体は導電板を介して接続されているため、導電板を折り曲げて２つの樹脂成型体を接着又は溶着等の方法で容易に固定することができる。
【００１６】
また、本発明においては、第２の樹脂成型体を透光性の合成樹脂で成型し、これにレンズ部を一体成型する。これにより、光通信モジュールの部品点数を削減でき、光通信モジュールの製造を容易化することができる。
【００１７】
また、本発明においては、第１の樹脂成型体は底部及びこれを囲む周壁を有する構成とし、底部に表面の一部又は全部が露出するように導電板の一部分を埋め込む。これにより、第１の樹脂成型体に底部及び周壁で囲まれた凹所を設け、この凹所内に変換素子を収容することができる。また第２の樹脂成型体は、周壁の端部の全周に亘って固定する。これにより、変換素子が収容された凹所が封止される。
【００１８】
また、本発明においては、第１の樹脂成型体を透光性の合成樹脂で成型すると共に、導電板及びこれに実装された変換素子を第１の樹脂成型体に埋め込む。これにより、変換素子の封止を容易に行うことができ、変換素子は透光性の合成樹脂を通して光信号の授受を行うことができる。
【００１９】
また、本発明においては、第２の樹脂成型体に筒部を一体成型し、この筒部に光ファイバなどの光通信線を嵌合して接続する構成とする。変換素子は、第２の樹脂成型体に設けられたレンズ部を通して、筒部に嵌合された光通信線との間で光信号の授受を行う。これにより、光通信モジュールに対する光通信線の位置決めが容易化されると共に、光通信モジュールの部品点数を削減することができる。
【発明の効果】
【００２０】
本発明による場合は、導電板を介して第１の樹脂成型体及び第２の樹脂成型体が導電板を介して接続される。第１の樹脂成型体に埋め込まれた導電板の一部分に光電変換素子を実装し、第２の樹脂成型体に設けられたレンズ部が光電変換素子に対向するように、導電板を折り曲げて第１の樹脂成型体及び第２の樹脂成型体を位置決めして固定する。この構成によって、受光部又は発光部が上面に設けられた変換素子を搭載することができると共に、部品点数が少なく製造が容易な光通信モジュールを実現することができる。
【図面の簡単な説明】
【００２１】
【図１】本発明に係る光通信モジュールの構成を示す模式的断面図である。
【図２】本発明に係る光通信モジュールの構成を示す模式的断面図である。
【図３】光電変換素子の構成を示す平面図である。
【図４】光通信モジュールの導電板の構成を示す模式的平面図である。
【図５】変形例１に係る光通信モジュールの構成を示す模式的断面図である。
【図６】変形例２に係る光通信モジュールの構成を示す模式的断面図である。
【図７】従来の光通信モジュールの構成を示す模式的断面図である。
【発明を実施するための形態】
【００２２】
以下、本発明をその実施の形態を示す図面に基づき具体的に説明する。図１及び図２は、本発明に係る光通信モジュールの構成を示す模式的断面図である。図において１は、フォトダイオード又はレーザダイオード等の光電変換素子５をパッケージ化した光通信モジュールである。光通信モジュール１は、光ファイバなどの光通信線（図示は省略する）が連結され、この光通信線を介して他の光通信装置との間で光信号の送受信を行い、光信号と電気信号との間の変換を行うための部品である。
【００２３】
光通信モジュール１は、透光性の収容体２に光電変換素子５が収容され、蓋体４によって封止された構成をなしている。収容体２は、平面視が略正方形をなす底部２１と、この底部２１の一側の面（図１において上面）の周囲に設けられた周壁２２とを有しており、底部２１及び周壁２２によって光電変換素子５などを収容するための凹所２５が構成されている。収容体２は、透光性の合成樹脂により、底部２１及び周壁２２を一体成型したものであり、一体成型を行う際に複数の金属製の導電板３が埋め込まれる。導電板３は、その上面が凹所２５内に露出するように、収容体２の底部２１に埋設されており、導電板３の露出部分に光電変換素子５が実装されている。導電板３は、光電変換素子５と外部との間で電気信号の送受信を行うためのものであり、換言すれば、光通信モジュール１を用いた光通信の回路において、回路の構成要素をなす電気部品を接続する配線に相当するものである。
【００２４】
図３は、光電変換素子５の構成を示す平面図である。なお、図３Ａには光電変換素子５の上面の構成を示し、図３Ｂには下面の構成を示してある。光電変換素子５は、平面視が略正方形をなす扁平な直方体状の本体部５１を有している。本体部５１の下面には、その四隅に第１端子５２がそれぞれ設けられている。４つの第１端子５２は、導電板３に半田付けされる。また本体部５１の上面には、略中央に発光部又は受光部５４が設けられると共に、１つの第２端子５３が設けられている。第２端子５３は、ワイヤボンディングによりワイヤ３５を介して導電板３に接続される。第１端子５２及び第２端子５３は、光電変換に係る電気信号の授受を行うための端子であり、例えばフォトダイオード又はレーザダイオードのアノード端子及びカソード端子などである。
【００２５】
また、光通信モジュール１の蓋体４は、平面視が底部２１と略同じ略正方形をなすベース部４１を有している。ベース部４１の一側の面（図１において下側の面、図２において上側の面であるが、以下では下面という）の略中央に、レンズ部４２が設けられている。またベース部４１の反対側の面（以下では上面という）には、光通信線を連結するための円筒状の筒部４３が上方へ突設されている。蓋体４は、透光性の合成樹脂により、ベース部４１、レンズ部４２及び筒部４３を一体成型したものであり、一体成型を行う際に複数の導電板３が埋め込まれる。
【００２６】
蓋体４に埋め込まれる導電板３は、収容体２に埋め込まれる導電板３と同じものである。詳しくは、導電板３は収容体２及び蓋体４の一辺の長さの２倍以上の長さを有する板体（複数の板の集合体）であり、導電板３の長手方向の一端部分が収容体２内に埋め込まれ、収容体２から所定距離を隔てて導電板３の中途部分が蓋体４に埋め込まれている。即ち、収容体２及び蓋体４は、導電板３を介して連なっている。
【００２７】
図４は、光通信モジュール１の導電板３の構成を示す模式的平面図であり、導電板３の上面視の形状に収容体２、蓋体４及びレンズ部４２の外形を一点鎖線で重ねて示したものである。図示の例では、光通信モジュールは３つの導電板３ａ〜３ｃを有している。第１の導電板３ａは、一端に設けられた略正方形の部分と、この部分から延出する細長の略長方形の部分とを有しており、略長方形の部分にはその途中をＵ字状に屈曲させた部分を設けてある。第２の導電板３ｂは、細長の略長方形をなしており、その途中をＵ字状に屈曲させた部分を設けてある。また第３の導電板３ｃは、その一端を第１の導電板３ａの略正方形の部分を囲むように屈曲させた部分と、この部分から延出する細長の略長方形の部分とを有しており、略長方形の部分にはその途中をＵ字状に屈曲させた部分を設けてある。
【００２８】
光通信モジュール１の収容体２には、第１の導電板３ａの略正方形の部分及びこれから延出する略長方形の部分の一部と、第２の導電板３ｂの一端部分と、第３の導電板３ｃの一端の屈曲させた部分及びこれから延出する略長方形の部分の一部とが埋め込まれている。収容体２の一側面からは第１〜第３の導電板３ａ〜３ｃの略長方形の部分がそれぞれ延出して外部に露出し、収容体２及び蓋体４の間には第１〜第３の導電板３ａ〜３ｃが略平行に配される。
【００２９】
また光通信モジュール１の蓋体４には、第１〜第３の導電板３ａ〜３ｃのＵ字状に屈曲させた部分を含む細長の略長方形の部分の中途部分が埋め込まれている。第１〜第３の導電板３ａ〜３ｃのＵ字状に屈曲させた部分は、（平面視において）蓋体４に設けられたレンズ部４２に重ならないように、レンズ部４２の配設位置を迂回させた迂回部分３１である。蓋体４は、一側面から第１〜第３の導電板３ａ〜３ｃが延出して収容体２と接続されており、この反対側の側面からも第１〜第３の導電板３ａ〜３ｃの他端部が略平行に延出している。
【００３０】
第１の導電板３ａは、一端の略正方形の部分に第１端子５２が半田付けされることによって、光電変換素子５が実装される。第２の導電板３ａは、その一端部分に、光電変換素子５の上面に設けられた第２端子５３がワイヤ３５を介して接続される。第３の導電板３ｃは、例えば接地電位に接続されて、光通信モジュール１をシールドするために用いられる。また第１〜第３の導電板３ａ〜３ｃの蓋体４の反対面から延出した部分は、光通信モジュール１を例えば通信装置の回路基板に接続するための端子として用いられる。
【００３１】
導電板３（第１〜第３の導電板３ａ〜３ｃ）は、例えば薄い金属板であり、折り曲げることが可能である。光通信モジュール１の製造工程においては、折り曲げられていない導電板３の一端を、収容体２を成型するための金型内に配置すると共に、導電板３の中途部分を、蓋体４を成型するための金型内に配置し、各金型に透光性の合成樹脂を流し込んで硬化させることにより、収容体２及び蓋体４の成型を行う。この状態では、図２に示すように、収容体２及び蓋体４が所定距離を隔てて導電板３を介して接続されている。
【００３２】
次いで、収容体２及び蓋体４の間の導電板３を折り曲げ、収容体２の凹所２５内に実装された光電変換素子５と蓋体４に設けられたレンズ部４２とが対向するように、収容体２の周壁２２の上端面と蓋体４の下面とを当接させた状態で、例えば接着又は溶着等の方法により収容体２及び蓋体４を固定する。このときに、光電変換素子５の発光部又は受光部５４の中心と、レンズ部４２の中心とが略一致するように、収容体２及び蓋体４の位置決めを行う。
【００３３】
その後、光通信モジュール１は、蓋体４の側面から延出する導電板３の端部を接続端子として、光通信装置の回路基板などに接続して固定される。また光通信モジュール１の蓋体４に突設された筒部４３には、光ファイバなどの光通信線が挿入して嵌合される。これにより光通信モジュール１は、収容体２に収容された光電変換素子５が、レンズ部４２を通して、筒部４３に嵌合された光通信線との間で光信号の授受を行うことができると共に、導電板３を介して光通信装置の回路基板などに構成された通信回路との間で電気信号の授受を行うことができる。
【００３４】
以上の構成の光通信モジュール１は、折り曲げ可能な導電板３に、その一部分を埋め込んで収容体２を樹脂成型し、収容体２から所定距離を隔てて、導電板３の他の部分を埋め込んで蓋体４を樹脂成型すると共に、収容体２内の導電板３に光電変換素子５を実装し、蓋体４にレンズ部４２を設け、収容体２及び蓋体４の間の導電板３を折り曲げて、光電変換素子４の発光部又は受光部５４がレンズ部４２に対向するように収容体２及び蓋体４を位置決めして固定する構成である。このように、光電変換素子５が設けられる収容体２と、レンズ部４２が設けられる蓋体４とを別の樹脂成型体とすることによって、発光部又は受光部５４が上面（導電板３との接続を行う第１端子５２が設けられた面の反対面）に設けられた光電変換素子５を用いた光通信モジュール１を実現することができる。またこの構成では、２つの樹脂成型体である収容体２及び蓋体４が導電板３を介して接続されているため、導電板３を折り曲げて２つの樹脂成型体を接着又は溶着等の方法で固定することで、容易に光通信モジュールの製造を行うことができる。
【００３５】
また、蓋体４を透光性の合成樹脂で成型し、レンズ部４２を一体成型する構成とすることにより、光通信モジュール１の部品点数を削減でき、光通信モジュール１の製造を容易化することができる。また、蓋体４に筒部４３を一体成型し、筒部４３に光通信線を嵌合して接続する構成とすることにより、光通信モジュール１に対する光通信線の位置決めが容易化されると共に、光通信モジュール１の部品点数を削減することができる。
【００３６】
また、収容体２の底部２１及び周壁２２で囲まれた凹所２５に光電変換素子５を収容し、底部２１に露出した導電板３に光電変換素子５を実装すると共に、周壁２２の上端面の全周に亘って蓋体４を固定する構成とすることにより、光電変換素子５を容易且つ確実に封止することができる。
【００３７】
なお本実施の形態において図示した収容体２、導電板３、蓋体４及び光電変換素子５の形状及び構成等は一例であって、これに限るものではない。また光通信モジュール１は、収容体２を透光性の合成樹脂にて成型する構成としたが、これに限るものではなく、収容体２を非透光性の合成樹脂にて成型してもよい。また蓋体４に筒部４３を一体成型する構成としたが、これに限るものではなく、筒部４３を別体で製造して接着又は溶着などの方法で蓋体４に固定する構成であってもよく、光通信モジュール１が筒部４３を備えない構成であってもよい。また光通信モジュール１は、導電板３として３つの導電板３ａ〜３ｃを有する構成としたが、これに限るものではなく、２つ以下又は４つ以上の導電板を有する構成であってもよい。また光電変換素子５の第１端子５２の個数及び配置等は図３Ｂに示したものに限らない。光電変換素子５が１つの第２端子５３を有する構成としたが、これに限るものではなく、２つ以上の第２端子を有する構成であってもよい。また第２端子５３の配置は、図３Ａに示したものに限らない。
【００３８】
（変形例１）
図５は、変形例１に係る光通信モジュール２０１の構成を示す模式的断面図である。変形例１に係る光通信モジュール２０１は、収容体２０２及び蓋体２０４を非透光性の合成樹脂で成型した構成である。このため、レンズ部２６０は蓋体２０４とは別体で製造され、光通信モジュール２０１の製造工程にてレンズ部２６０が蓋体２０４に取り付けられる。
【００３９】
レンズ部２６０は合成樹脂又はガラス等にて製造され、略円柱形をなし、その一端面又は両端面にレンズ面が形成されている。蓋体２０４のベース部４１には、平面視の略中央に、略円形の貫通孔２４２が形成されており、この貫通孔２４２を囲むようにベース部４１の上面に筒部４３が突設されている。レンズ部２６０は、ベース部４１の貫通孔２４２に挿入され、接着又は溶着等の方法で固定される。
【００４０】
このように、光通信モジュール２０１のレンズ部２６０は蓋体２０４と別体であってよく、また蓋体２０４を非透光性の合成樹脂で成型してもよい。
【００４１】
（変形例２）
図６は、変形例２に係る光通信モジュール３０１の構成を示す模式的断面図である。変形例２に係る光通信モジュール３０１は、蓋体４の構成は図１に示したものと同じであるが、収容体３０２の構成が図１に示した収容体２とは異なる。変形例２に係る光通信モジュール３０１の収容体３０２は、平面視が略正方形をなす扁平な直方体形のベース部３２１内に、導電板３の端部及びこれに実装された光電変換素子５が埋め込まれている（樹脂封止されている）。またベース部３２１の上面には周壁３２２が設けられており、周壁３２２の上端面に蓋体４が接着又は溶着などの方法で固定される。
【００４２】
変形例２に係る光通信モジュール３０１の製造工程では、導電板３に対する光電変換素子５の実装を行った後、導電板３及び光電変換素子５を金型内に収容して収容体３０２及び蓋体４の樹脂成型を行う。その後、収容体３０２及び蓋体４の間の導電板３を折り曲げ、収容体３０２内の光電変換素子５と蓋体４に設けられたレンズ部４２とが対向するように、収容体３０２の周壁３２２の上端面と蓋体４の下面とを当接させた状態で、例えば接着又は溶着等の方法により収容体３０２及び蓋体４を固定する。光電変換素子５は、透光性のベース部３２１及びレンズ部４２を通して、筒部４３に嵌合された光通信線との間で光信号の授受を行うことができる。
【００４３】
このように、光通信モジュール３０１の光電変換素子５を、収容体３０２の樹脂成型の際に封止する構成としてもよい。
【符号の説明】
【００４４】
１  光通信モジュール
２  収容体（第１の樹脂成型体）
３、３ａ、３ｂ、３ｃ  導電板
４  蓋体（第２の樹脂成型体）
５  光電変換素子（変換素子）
２１  底部
２２  周壁
２５  凹所
３５  ワイヤ
４１  ベース部
４２  レンズ部
４３  筒部
５１  本体部
５２  第１端子
５３  第２端子
５４  発光部又は受光部
２０１  光通信モジュール
２０２  収容体
２０４  蓋体
２４２  貫通孔
２６０  レンズ部
３０１  光通信モジュール
３０２  収容体
３２１  ベース部
３２２  周壁
【図１】
2013098431.tif 000003
【図２】
2013098431.tif 000004
【図３】
2013098431.tif 000005
【図４】
2013098431.tif 000006
【図５】
2013098431.tif 000007
【図６】
2013098431.tif 000008
【図７】
2013098431.tif 000009